(57)【特許請求の範囲】
【請求項１】
当該給紙カセットが着脱される画像形成装置に設けられた第１の搬送ローラと当該給紙カセットの着脱方向に並設され，前記第１の搬送ローラの用紙搬送方向への回転駆動により該第１の搬送ローラと共に用紙を搬送する第２の搬送ローラと，
前記第２の搬送ローラを当該給紙カセットの着脱方向における前記第１の搬送ローラの方向に付勢する付勢手段と，
前記画像形成装置に設けられた被係合部に係合することにより当該給紙カセットの前記画像形成装置からの離脱方向への移動を制限する係合部と，
を備えてなる給紙カセットであって，
前記第２の搬送ローラ及び前記係合部が揺動可能に設けられてなり，
前記付勢手段が，前記係合部に対して当該給紙カセットの着脱方向と異なる方向に連結された弾性を有する弾性部材と，前記係合部が前記被係合部に接触することにより前記弾性部材に作用する反力を，前記第２の搬送ローラを当該給紙カセットの着脱方向における前記第１の搬送ローラの方向に付勢する力に変換して前記第２の搬送ローラに伝達する反力伝達部材とを含んでなることを特徴とする給紙カセット。
【請求項２】
前記画像形成装置に設けられた第１の分離ローラの回転駆動によって既定の設定トルクを超える回転トルクが作用した場合に回転する第２の分離ローラを更に備えてなり，
前記第２の分離ローラが，前記第１の分離ローラから作用する回転トルクによって前記給紙カセットの前記画像形成装置からの離脱方向の力を受けるように配置されてなる請求項１に記載の給紙カセット。
【請求項３】
前記弾性部材が，前記係合部に対して当該給紙カセットの着脱方向と略垂直な方向に連結されたものである請求項１又は２のいずれかに記載の給紙カセット。
【請求項４】
前記反力伝達部材が，前記係合部が前記被係合部に接触することにより前記弾性部材に作用する反力を受け，所定の回転軸を中心に回転することにより前記反力を前記第２の搬送ローラの回転軸に伝達することで，該第２の搬送ローラを当該給紙カセットの着脱方向における前記第１の搬送ローラの方向に付勢するものである請求項１〜３のいずれかに記載の給紙カセット。
【請求項５】
請求項１〜４のいずれかに記載の給紙カセットを備えてなる画像形成装置。
【発明の詳細な説明】
【技術分野】
【０００１】
本発明は，プリンタ装置や複写機，ファクシミリ装置，これらの複合機などの画像形成装置に用いられる給紙カセットに関し，特に，給紙カセットの画像形成装置からの離脱防止を図る技術に関するものである。
【背景技術】
【０００２】
プリンタ装置や複写機，ファクシミリ装置，これらの複合機などの画像形成装置では，印字出力に用いられる用紙を収容する給紙カセットが着脱可能に設けられる。
ここで，給紙カセットは，該給紙カセット及び画像形成装置に設けられた係合部の係合によって，該画像形成装置に装着された状態で保持される（例えば，特許文献１参照）。以下，図３，４を用いて具体例について説明する。
図３に示すように，給紙カセットＸ１は，該給紙カセットＸ１に設けられたレール１０１を，プリンタ装置Ｙ１のカセット装着部２００に設けられたレール２０１に沿わせて着脱される。
ここで，前記給紙カセットＸ１のレール１０１には，前記プリンタ装置Ｙ１のレール２０１に設けられた凹部２０２に対応する位置に嵌合部１０２が設けられている。これにより，前記給紙カセットＸ１が前記プリンタ装置Ｙ１に装着されると，前記嵌合部１０２が前記凹部２０２に嵌合し，前記給紙カセットＸ１は，前記プリンタ装置Ｙ１からの引き出しがロックされた状態となる。
なお，ユーザによる引き抜き操作によって，前記給紙カセットＸ１に対して引き出し方向にある程度大きな力が作用すると，前記嵌合部１０２及び前記凹部２０２の嵌合が解除されて，該給紙カセットＸ１は引き出される。このとき，前記嵌合部１０２及び前記凹部２０２の係合力は，前記給紙カセットＸ１の自重に依存することになるが，例えば前記嵌合部１０２を弾性部材などで前記凹部２０２方向に付勢すれば，前記係合力を高めることが可能である。
【０００３】
ところで，前記プリンタ装置Ｙ１において前記給紙カセットＸ１から不図示の画像形成部に向けて用紙を搬送するための各種のローラ部材が，前記プリンタ装置Ｙ１及び前記給紙カセットＸ１に分けて設けられることがある。
具体的に，図３に示すように，前記プリンタ装置Ｙ１側には，ピックアップローラ２１１，分離ローラ２１２，及び搬送ローラ２１３が設けられる。一方，前記給紙カセットＸ１は，該給紙カセットＸ１が前記プリンタ装置Ｙ１に装着されたときに前記分離ローラ２１２及び前記搬送ローラ２１３に接触する分離ローラ１１２及び搬送ローラ１１３と，両端が前記搬送ローラ１１２及び前記給紙カセットＸ１の筐体１１１に連結されたバネ部材１１４とを有している。
前記分離ローラ１１２は，既定の設定トルク以下の回転トルクによる回転を規制するトルクリミッタを有しており，前記分離ローラ２１２の用紙搬送方向の回転駆動によって前記設定トルクを超える回転トルク（以下，「分離トルク」という）が作用した場合に用紙搬送方向に回転する。
前記搬送ローラ１１３は，前記給紙カセットＸ１が前記プリンタ装置Ｙ１に装着されたときに，該プリンタ装置Ｙ１に設けられた前記搬送ローラ２１３と前記給紙カセットＸ１の着脱方向に並設され，該搬送ローラ２１３に接触することにより，該搬送ローラ２１３と共に用紙を搬送する一対の搬送ローラを構成する。
前記バネ部材１１４は，前記搬送ローラ１１３を前記搬送ローラ２１３の方向（図３における左方向）に付勢するものである。これにより，前記給紙カセットＸ１が前記プリンタ装置Ｙ１に装着されたときに，前記搬送ローラ１１３，２１３の圧接度合いが高められる。
【０００４】
そして，前記給紙カセットＸ１が前記プリンタ装置Ｙ１に装着されると，図４に示すように，前記プリンタ装置Ｙ１では，前記給紙カセットＸ１から用紙を一枚ずつ取り出すための用紙搬送機構が形成される。
具体的に，前記給紙カセットＸ１の用紙収容部に収容された用紙は，前記ピックアップローラ２１１の回転駆動によって取り出されて，一対の前記分離ローラ１１２，２１２によって分離される。分離された一枚の用紙は，一対の前記搬送ローラ１１３，２１３によって不図示の画像形成部に向けて搬送される。
【特許文献１】特開平２−２２１０３１号公報
【発明の開示】
【発明が解決しようとする課題】
【０００５】
ところで，図３，４に示した構成では，前記バネ部材１１４が，前記給紙カセットＸ１の前記プリンタ装置Ｙ１からの離脱方向と同じ水平方向上で，前記搬送ローラ１１３及び前記筐体１１１に連結されているため，前記搬送ローラ１１３を前記搬送ローラ２１３方向に付勢することにより，前記筐体１１１には，前記給紙カセットＸ１が前記プリンタ装置Ｙ１から離脱する方向への反力（例えば，９００ｇｆ程度）が作用することになる。
そのため，前記搬送ローラ１１３，２１３の圧接度合いを高めるべく，前記バネ部材１１３による前記搬送ローラ１１３の付勢力を高めると，前記給紙カセットＸ１に対して前記プリンタ装置Ｙ１から離脱する方向に作用する反力も大きくなり，該給紙カセットＸ１が離脱しやすくなる。そのため，前記給紙カセットＸ１の離脱防止が十分に図られていなければ，前記搬送ローラ１１３，２１３の間を用紙が通過する際や，前記プリンタ装置Ｙ１で発生する振動などによって前記給紙カセットＸ１が不意に離脱してしまうことも考えられる。
特に，前記したように前記分離ローラ１１２が前記給紙カセットＸ１に設けられている場合には，前記分離ローラ２１２の回転駆動によって前記分離ローラ１１２に作用する回転トルク（例えば，４００ｇｆ・ｃｍ程度）も，前記給紙カセットの離脱方向への力となる。この場合には，前記バネ部材１１４による反力及び前記分離ローラ１１２の分離トルクの合計（例えば，１．３ｋｇｆ程度）が，前記給紙カセットＸ１の離脱方向の力になるため，該給紙カセットＸ１が離脱しやすくなるという問題が生じる。
従って，本発明は上記事情に鑑みてなされたものであり，その目的とするところは，給紙カセットから用紙を搬送する一対の搬送ローラが給紙カセット及び画像形成装置に分けて設けられる構成において，前記給紙カセットの前記画像形成装置からの離脱防止を図りつつ，前記一対の搬送ローラの圧接度合いを高めることのできる給紙カセット及びこれを備えた画像形成装置を提供することにある。
【課題を解決するための手段】
【０００６】
上記目的を達成するために本発明は，当該給紙カセットが着脱される画像形成装置に設けられた第１の搬送ローラと当該給紙カセットの着脱方向に並設され，前記第１の搬送ローラの用紙搬送方向への回転駆動により該第１の搬送ローラと共に用紙を搬送する第２の搬送ローラと，前記第２の搬送ローラを当該給紙カセットの着脱方向における前記第１の搬送ローラの方向に付勢する付勢手段と，前記画像形成装置に設けられた被係合部に係合することにより当該給紙カセットの前記画像形成装置からの離脱方向への移動を制限する係合部とを備えてなる給紙カセットに適用されるものであって，前記第２の搬送ローラ及び前記係合部が可能に設けられてなり，前記付勢手段が，前記係合部に対して当該給紙カセットの着脱方向と異なる方向に連結された弾性を有する弾性部材と，前記係合部が前記被係合部に接触することにより前記弾性部材に作用する反力を，前記第２の搬送ローラを当該給紙カセットの着脱方向における前記第１の搬送ローラの方向に付勢する力に変換して前記第２の搬送ローラに伝達する反力伝達部材とを含んでなることを特徴とする給紙カセットとして構成される。
このような構成によれば，前記第２の搬送ローラが前記第１の搬送ローラの方向に付勢されることによって該第２の搬送ローラに作用する前記給紙カセットの前記離脱方向の反力が，該離脱方向と異なる方向に分力されることになる。また，前記第２の搬送ローラを前記第１の搬送ローラの方向に付勢する手段と，前記係合部を前記被係合部に付勢する手段とを前記弾性部材で兼用しているため，前記第１の搬送ローラ及び前記第２の搬送ローラの圧接度合いを高めることで，前記係合部及び前記被係合部の係合力も同時に高まることになる。
従って，本発明によれば，前記給紙カセットの離脱防止を図りつつ，前記第１の搬送ローラ及び前記第２の搬送ローラの圧接度合いを高めることができる。
【０００７】
特に，前記画像形成装置に設けられた第１の分離ローラの回転駆動によって既定の設定トルクを超える回転トルクが作用した場合に回転する第２の分離ローラを更に備えてなり，前記第２の分離ローラが，前記第１の分離ローラから作用する回転トルクによって前記給紙カセットの前記画像形成装置からの離脱方向の力を受けるように配置されてなる給紙カセットでは，前記設定トルクが大きくなるほど前記給紙カセットが離脱しやすくなる。
しかしながら，本発明を適用すれば，前記第２の搬送ローラに作用する前記給紙カセットの前記離脱方向の反力が該離脱方向と異なる方向に分力されるため，その分，前記設定トルクを大きく設定して用紙の分離力（さばき力）を高めることが可能となる。
【０００８】
なお，前記弾性部材は，前記係合部に対して当該給紙カセットの着脱方向と略垂直な方向に連結されたものであることが望ましい。これにより，前記給紙カセットに対して前記離脱方向に作用する力をできるだけ減少させることができる。
また，前記反力伝達部材の具体例としては，前記係合部が前記被係合部に接触することにより前記弾性部材に作用する反力を受け，所定の回転軸を中心に回転することにより前記反力を前記第２の搬送ローラの回転軸に伝達することで，該第２の搬送ローラを当該給紙カセットの着脱方向における前記第１の搬送ローラの方向に付勢するものが考えられる。
ところで，本発明は，前述した給紙カセットを備えてなる画像形成装置の発明として捉えることも可能である。
【発明の効果】
【０００９】
本発明によれば，前記第２の搬送ローラが前記第１の搬送ローラの方向に付勢されることによって該第２の搬送ローラに作用する前記給紙カセットの前記離脱方向の反力が，該離脱方向と異なる方向に分力されることになる。また，前記第２の搬送ローラを前記第１の搬送ローラの方向に付勢する手段と，前記係合部を前記被係合部に付勢する手段とを前記弾性部材で兼用しているため，前記第１の搬送ローラ及び前記第２の搬送ローラの圧接度合いを高めることで，前記係合部及び前記被係合部の係合力も同時に高まることになる。従って，本発明によれば，前記給紙カセットの離脱防止を図りつつ，前記第１の搬送ローラ及び前記第２の搬送ローラの圧接度合いを高めることができる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る給紙カセットＸの概略構成図，図２は前記給紙カセットＸがプリンタ装置Ｙに装着された状態を説明するための図である。また，図１（ａ）は前記給紙カセットＸを側方から見た図，図１（ｂ）は図１（ａ）におけるＡ−Ａ矢視断面図，図１（ｃ）は図１（ａ）におけるＢ−Ｂ矢視断面図である。同じく，図２（ａ）は前記給紙カセットＸを側方から見た図，図２（ｂ）は図２（ａ）におけるＣ−Ｃ矢視断面図，図２（ｃ）は図２（ａ）におけるＤ−Ｄ矢視断面図である。
なお，本発明の実施の形態に係る給紙カセットＸを有するプリンタ装置Ｙ側の構成については，前述したプリンタ装置Ｙ１（図３，４参照）と同様であるため，同じ符号を用いてその説明を省略する。
また，本発明の実施の形態に係るプリンタ装置Ｙは，本発明に係る画像形成装置の一例に過ぎず，本発明は，複写機，ファクシミリ装置，複合機などの各種の画像形成装置に適用可能である。
【００１１】
図１に示すように，前記給紙カセットＸは，前記プリンタ装置Ｙの分離ローラ２１２（第１の分離ローラに相当）と共に一対の分離ローラを構成する分離ローラ１（第２の分離ローラに相当），前記プリンタ装置Ｙの搬送ローラ２１３（第１の搬送ローラに相当）と共に一対の搬送ローラを構成する搬送ローラ２（第２の搬送ローラに相当），及び当該給紙カセットＸの離脱を防止するカセットロック機構３などを有して概略構成されている。前記給紙カセットＸは，前記給紙カセットＸ１（図３，４参照）と同様に，該給紙カセットＸに設けられたレール１０１を，前記プリンタ装置Ｙのレール２０１に沿わせて着脱される。
また，前記給紙カセットＸは，一般的な給紙カセットに設けられた用紙リフトアップ機構や用紙整合機構などの他の構成要素も有しているが，これらについては従来と異なるところがないためここでは説明を省略する。
【００１２】
前記分離ローラ１は，前記給紙カセットＸが前記プリンタ装置Ｙに装着されたときに，該プリンタ装置Ｙに設けられた前記分離ローラ２１２と接触することにより，該分離ローラ２１２と共に用紙を分離する一対の分離ローラを構成する。
前記分離ローラ１は，前記給紙カセットＸの筐体４に回転軸１ａで軸支されている。また，前記分離ローラ１は，従来と同様に既定の設定トルク（以下，「分離トルク」という）以下の回転トルクによる回転を規制するトルクリミッタ（不図示）を介して前記回転軸１ａに連結されており，前記分離ローラ２１２の回転駆動によって前記分離トルクを超える回転トルクが作用した場合に用紙の搬送方向に回転する。
具体的に，前記ピックアップローラ２１１によって前記給紙カセットＸの用紙収容部から取り出された用紙が一枚である場合には，前記分離ローラ２１２の回転駆動に作用する回転トルクが前記分離トルクを超えることになるため，前記分離ローラ１は，前記分離ローラ２１２に従動して用紙を前記搬送ローラ２，２１３に向けて搬送する。このとき，前記分離ローラ１は，前記分離ローラ２１２から作用する回転トルクによって前記給紙カセットＸの前記プリンタ装置Ｙからの離脱方向の力を受けることになる。
一方，前記ピックアップローラ２１１によって取り出された用紙が２枚である場合には前記分離ローラ２１２の回転駆動に従動せず前記分離ローラ１側の用紙の搬送を妨げることによりその用紙を分離する。
【００１３】
前記搬送ローラ２は，前記給紙カセットＸが前記プリンタ装置Ｙに装着されたときに，前記給紙カセットＸの着脱方向において前記搬送ローラ２１３に接触するように該搬送ローラ２１３と並設されることにより，該搬送ローラ２１３と共に用紙を搬送する一対の搬送ローラを構成する。
前記搬送ローラ２は，前記筐体４の両側面に設けられた開口部４１に回転軸２ａで軸支されており，前記搬送ローラ２１３の回転駆動に従動することにより，前記分離ローラ１，２１２からの用紙を，不図示の画像形成部に向けて搬送する。
前記開口部４１は，前記搬送ローラ２の回転軸２ａを，図１における左右方向，即ち前記給紙カセットＸの前記プリンタ装置Ｙへの着脱に対して概ね平行な方向に揺動可能に支持する長穴溝状の開口を有している。
前記プリンタ装置Ｙでは，前記給紙カセットＸが前記プリンタ装置Ｙに装着されたとき，前記搬送ローラ２の回転軸２ａが，前記カセットロック機構３によって前記搬送ローラ２１３の方向に付勢されることにより，該搬送ローラ２が前記搬送ローラ２１３に圧接される。以下，この点について詳述する。
【００１４】
図１に示すように，前記カセットロック機構３は，前記給紙カセットＸの両側端部各々に設けられており，ロック部材３１（係合部の一例），連動部材３２，バネ部材３３（弾性部材の一例），及び付勢部材３４（反力伝達部材の一例）を有している。ここに，前記バネ部材３３及び前記付勢部材３４が，前記搬送ローラ２を前記給紙カセットＸの着脱方向における前記搬送ローラ２１３の方向に付勢する付勢手段の一例である。
前記ロック部材３１及び前記連動部材３２は，前記筐体４の両側面に形成された溝状の開口部４２に嵌挿されたシャフト３１ａで一体に支持されている。前記開口部４２は，前記給紙カセットＸの上下方向，即ち前記給紙カセットＸの着脱方向に対して概ね垂直な方向に長穴溝状を成す開口を有しており，前記シャフト３１ａは，前記開口部４２の開口内で同方向に揺動可能である。
前記ロック部材３１は，前記プリンタ装置Ｙに設けられた前記凹部１０２（被係合部の一例）に係合することにより当該給紙カセットＸの前記プリンタＹからの離脱方向への移動を制限するものである。
【００１５】
前記バネ部材３３は，弾性を有する伸縮バネであって，その両端が前記連動部材３２及び前記付勢部材３４に前記給紙カセットＸの着脱方向と概ね垂直な方向（異なる方向の一例）に連結されたものである。前記バネ部材３３は，前記連動部材３２の上方向への移動によって圧縮されると，弾性によって前記付勢部材３４に上方向の付勢力を作用させる。なお，前記バネ部材３３は弾性部材の一例に過ぎず，該バネ部材３３に換えて弾性を有する他の部材を用いてもよい。
前記付勢部材３４は，前記筐体４の両側面に回転軸３４ａで軸支された扇形の板状部材であって，一方の直線面が前記搬送ローラ２の回転軸２ａに接触している。前記付勢部材３４の他方の直線面は，前記バネ部材３３の前記連結部材３２と反対側の端部に連結されている。
このように構成された前記付勢部材３４は，前記ロック部材３１が前記凹部２０２に接触して該ロック部材３１が前記連動部材３２と共に上方に移動することにより前記バネ部材３３に作用する反力を，前記搬送ローラ２を前記給紙カセットＸの着脱方向における前記搬送ローラ２１３の方向に付勢する方向の力に変換して該搬送ローラ２に伝達するものである。具体的に前記付勢部材３４は，前記ロック部材３１が前記凹部２０２に接触することにより前記ロック部材３１に作用する反力を受けて前記回転軸３４ａを中心に回転し，前記反力を前記搬送ローラ２の回転軸２ａに伝達することにより，前記搬送ローラ２を前記給紙カセットＸの着脱方向における前記搬送ローラ２１３の方向に付勢する。
【００１６】
以下，図１及び図２を用いて，前記給紙カセットＸの前記プリンタ装置Ｙへの装着前後の状態について説明する。なお，図２は，前記プリンタ装置Ｙに装着された前記給紙カセットＸを抜き出した図であり，前記プリンタ装置Ｙ側の構成の図示は省略している。
まず，図１に示すように，前記給紙カセットＸが前記プリンタ装置Ｙに装着される前，前記カセットロック機構３では，前記ロック部材３１及び前記連動部材３２に嵌挿された前記シャフト３２ａが前記筐体４の開口部４２の最下端部に位置している。このとき，前記バネ部材３３から前記付勢部材３４への矢印Ｒ１方向への付勢力は作用しておらず，或いは小さく，該付勢部材３４による前記搬送ローラ２の回転軸２ａへの矢印Ｒ２方向への付勢力は作用していない，或いは小さい。
【００１７】
一方，前記給紙カセットＸが前記プリンタ装置Ｙに装着されると，図２に示すように，前記ロック部材３１が，前記プリンタ装置Ｙ側に設けられた前記レール２０１の凹部２０２（図２に示す一点鎖線）に係合した状態となる。この前記ロック部材３１及び前記凹部２０２の係合によって，前記給紙カセットＸの前記プリンタ装置Ｙからの引き出し方向への移動が制限される。
ここで，図２に示すように，前記ロック部材３１は，前記プリンタ装置Ｙのレール２０１の凹部２０２に接触することにより前記筐体４の開口部４２内で矢印Ｒ３方向に押し上げられる。このとき，前記ロック部材３１と共に，前記シャフト３１ａ及び前記連動部材３２も同方向に移動する。このように，前記ロック部材３１が前記凹部２０２に接触するときの反力によって，前記連動部材３２が矢印Ｒ３方向に移動されると，その反力が前記バネ部材３３に矢印Ｒ１方向の圧縮力として作用する。これにより，前記バネ部材３３の弾性によって前記付勢部材３４が矢印Ｒ１方向に付勢されることになる。
【００１８】
そして，前記バネ部材３３から付勢を受けた前記付勢部材３４は，前記回転軸３４ａを中心に矢印Ｒ４方向に回転して，前記搬送ローラ２の回転軸２ａを矢印Ｒ２方向に付勢する。これにより，前記搬送ローラ２は，前記給紙カセットＸの着脱方向における前記搬送ローラ２１３の方向（矢印Ｒ２方向）に付勢され，該搬送ローラ２１３に圧接されることになる。
即ち，前記給紙カセットＸでは，前記ロック部材３１が前記レール２０１の凹部２０２に接触することにより前記バネ部材３３に作用する矢印Ｒ１方向の反力は，前記付勢部材３４によって，前記搬送ローラ２を当該給紙カセットＸの着脱方向における前記搬送ローラ２１３の方向に付勢する力に変換される。
【００１９】
逆に，前記搬送ローラ２が前記搬送ローラ２１３の方向に付勢されることによって該搬送ローラ２に作用する前記給紙カセットＸの離脱方向の反力は，その一部が，前記付勢部材３４によって，前記ロック部材３１の前記凹部２０２への圧接力に変換されることになる。このように，前記給紙カセットＸでは，前記搬送ローラ２，２１３の圧接による前記給紙カセットＸの離脱方向の力を該離脱方向と異なる方向に分力することによって，該給紙カセットＸの離脱防止が図られる。
また，前記バネ部材３３の弾性力を大きくして前記搬送ローラ２の前記搬送ローラ２１３への圧接度合いを高める場合には，それに比例して，前記ロック部材３１及び前記凹部２０２の係合力が高まることになり，前記給紙カセットＸの離脱防止が図られる。
さらに，前記プリンタ装置Ｙでは，前記給紙カセットＸに前記分離ローラ１が設けられているため，前記分離ローラ２１２の回転駆動により，前記分離ローラ１に対して，前記給紙カセットＸの離脱方向への力が作用することになるが，前記したように，前記搬送ローラ２，２１３の圧接による前記給紙カセットＸの離脱方向の力を該離脱方向と異なる方向に分力されるため，その分，前記分離ローラ１の分離トルクを大きく設定することも可能である。
【００２０】
なお，本実施の形態に係る前記給紙カセットＸでは，前記ロック部材３１が前記搬送ローラ２の下側に設けられている場合を例に挙げて説明したが，これに限られない。前記搬送ローラ２を前記搬送ローラ２１３方向に付勢することによって前記給紙カセットＸに作用する離脱方向の反力を，該離脱方向とは別の方向に分力することができる構成であればよい。
例えば，前記ロック部材３１が前記搬送ローラ２の側方に設けられていてもよい。なお，この場合には，前記プリンタ装置Ｙに設けられた前記凹部２０２も前記カセット装着部２００の側方に設けられる。そして，前記付勢部材３４の回転軸３４ａを略鉛直方向に軸支しておき，前記ロック部材３１からの付勢力が前記付勢部材３４の略水平方向の回転によって前記搬送ローラ２の回転軸２ａに伝達されるように構成すればよい。
【図面の簡単な説明】
【００２１】
【図１】本発明の実施の形態に係る給紙カセットの概略構成図。
【図２】本発明の実施の形態に係る給紙カセットがプリンタ装置に装着された状態を説明するための図。
【図３】従来の給紙カセット及びプリンタ装置の構成例を説明するための図。
【図４】従来の給紙カセット及びプリンタ装置の構成例を説明するための図。
【符号の説明】
【００２２】
１…分離ローラ（第２の分離ローラに相当）
１ａ…回転軸
２…搬送ローラ（第２の搬送ローラに相当）
２ａ…回転軸
３…カセットロック機構
３１…ロック部材
３１ａ…シャフト
３２…連動部材
３３…バネ部材（弾性部材の一例）
３４…付勢部材（反力伝達部材の一例）
３４ａ…回転軸（所定の回転軸の一例）
４…筐体
４１，４２…開口部
Ｘ，Ｘ１…給紙カセット
Ｙ，Ｙ１…プリンタ装置（画像形成装置の一例）
【図１】
0004986798.tif 000002
【図２】
0004986798.tif 000003
【図３】
0004986798.tif 000004
【図４】
0004986798.tif 000005